(57)【特許請求の範囲】
【請求項１】
本体キャビネットの前面開口端部に設けたロック板と、前記本体キャビネットの前面に開閉自在に設けられた外扉に配設されるとともに上下方向にスライド移動自在なスライダと、前記外扉の前面に配置されたハンドルに連結されたスイングカムと、当該スイングカムに連動して左右方向にスライド移動自在な閂部材とを有し、前記ロック板および閂部材を前記スライダに係合させて外扉を閉止鎖錠する扉ロック装置、前記外扉に配設された硬貨投入口と硬貨識別装置とを連係する硬貨シュートを備えた自動販売機において、前記扉ロック装置の閂部材に、当該閂部材のスライド移動に応じて前記硬貨投入口に進退移動する硬貨投入阻止片を形成したことを特徴とする自動販売機。
【請求項２】
請求項１に記載の自動販売機において、常時は硬貨シュートの入口を閉塞し、硬貨投入口から投入された硬貨により押し開かれる態様で硬貨シュートに回動自在に取付けられた防滴部材を有し、前記扉ロック装置の閂部材に設けた硬貨投入阻止片により前記防滴部材を、硬貨シュートの入口を閉塞した状態にロックするようにしたことを特徴とする自動販売機。
【発明の詳細な説明】
【技術分野】
【０００１】
この発明は、自動販売機の本体キャビネットの前面を開閉する外扉に形成された硬貨投入口、詳しくは外扉開放時に硬貨投入口から硬貨が投入されることを防止した自動販売機に関する。
【背景技術】
【０００２】
この種の自動販売機として一般的な缶入り飲料，ペットボトル入り飲料を販売する自動販売機について図５を用いて説明する。図５は外扉を開放した状態における自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。さらに、外扉２０の前面には、硬貨識別装置２１０に連通する硬貨投入口、紙幣識別装置２２０に連通する紙幣挿入口、硬貨返却口、返却レバーおよびキー付きハンドルを備えた扉ロック装置、商品取出口２０３などが設けられている。なお、２３０は硬貨回収ボックス（金庫）である。
【０００４】
前記外扉２０の扉ロック装置として、本体キャビネット１０の前面開口部には右側壁から前方へ突き出すように上下２箇所にロック板１０１を設けるとともに、外扉２０側には外扉２０の前面に設けたハンドルに連繋した上下スライド式のスライダ、および前記ハンドルの回動操作と共に回動するスイングカムに連動して左右スライド式の閂部材を備えており、外扉２０を閉じた際にロック板１０１が外扉２０の裏面に開口したスリット穴２０ａに進入して前記スライダと係合する一方、閂部材がスライダと係合して外扉２０を閉止位置に鎖錠する（例えば、特許文献１）。
【０００５】
前記外扉２０の前面に形成された硬貨投入口と硬貨識別装置２１０との間には硬貨シュート２１１が設けられ、当該硬貨シュート２１１を介して硬貨投入口から投入された硬貨は硬貨識別装置２１０に導かれる。前記硬貨シュート２１１の前面、すなわち、前記硬貨シュート２１１と硬貨投入口との間には硬貨投入口から浸入した水（雨水など）が硬貨シュート２１１を伝って硬貨識別装置２１０に流れ込むのを防止する防滴部材（不図示）が設けられている。当該防滴部材は硬貨シュート２１１に回動自在に取付けられ、常時（硬貨投入待ち状態）においては硬貨シュート２１１の入口前面を閉塞しており、硬貨投入時には投入硬貨に押されることにより回動して硬貨シュート２１１の入口を開放するように構成されている。
【０００６】
また、硬貨識別装置２１０と硬貨回収ボックス２３０との間には硬貨返却・回収シュート２１２が設けられている。この硬貨返却・回収シュート２１２には、外扉２０を扉ロック装置により閉止した状態においては硬貨識別装置２１０から払い出された硬貨（若しくは硬貨識別装置２１０でリジェクトされた硬貨を硬貨返却口に導き、扉ロック装置を操作して外扉２０が開放した状態においては硬貨識別装置２１０から払い出された硬貨を硬貨回収ボックス２３０に導く硬貨切換機構（不図示）が配設されている。この硬貨切換機構は、硬貨返却・回収シュート２１２に回動若しくはスライド移動自在に取付けられ、外扉２０が開放した状態においては自身の自重若しくはばねにより硬貨返却・回収シュート２１２から外扉２０の背面側に突き出して硬貨識別装置２１０と硬貨回収ボックス２３０とを連係し、外扉２０が閉じられると本体キャビネット側の構成部材（例えば、内扉３０）に当接して硬貨返却・回収シュート２１２内に押し込まれて硬貨識別装置２１０と硬貨返却口とを連係するように硬貨通路を切り替えるように構成されている。
【０００７】
ところで、前記硬貨識別装置２１０内の硬貨回収作業時，庫内への商品の補充時，メンテナンス時などにおいて外扉２０が開放される。前記外扉２０の開放状態においては商品を販売することができないため、硬貨識別装置２１０は投入硬貨を受け付けずにリジェクト硬貨と同様に硬貨返却・回収シュート２１２に送出するように構成されている。ところが、外扉２０を開放した状態では硬貨返却・回収シュート２１２に設けられた硬貨切換機構が作動して硬貨識別装置２１０と硬貨回収ボックス２３０とを連係するように効果通路を切り換えているため、投入硬貨は硬貨回収ボックス２３０に回収されてしまう。投入硬貨が硬貨回収ボックス２３０に回収されると硬貨回収ボックス２３０内の硬貨と混在してしまうことから投入された硬貨の種類（金種）が分からなくなる。このような問題を解決するため、硬貨回収時に硬貨投入口から投入された硬貨を硬貨返却口に返却するようにしたものが知られている（例えば、特許文献２）。
【先行技術文献】
【特許文献】
【０００８】
【特許文献１】特許第４５２４６５４号公報
【特許文献２】特公平７−８６９４３号公報
【発明の概要】
【発明が解決しようとする課題】
【０００９】
前記特許文献２においては、硬貨回収時に投入硬貨を硬貨返却口に返却するため硬貨切換機構を廃止したうえで硬貨識別装置自身をスライド移動可能に配設し、常時は硬貨識別装置が硬貨返却口と連通し、硬貨回収時は硬貨識別装置を硬貨回収ボックスと連通するようにスライド移動させることにより、硬貨投入口から投入された硬貨が硬貨返却口に落下するように構成されている。このように特許文献２においては硬貨識別装置自体をスライド移動自在に設けねばならないので大幅な設計変更を必要とするという課題を有する。
【００１０】
前記設計変更を僅かなものとする方策として、前記硬貨返却・回収シュート２１２に設けられた硬貨切換機構の構成を変更することが考えられる。すなわち、外扉２０の開閉に応じて自動的に硬貨通路を切換えるように作動する硬貨切換機構について、硬貨回収時に手動で操作することにより硬貨通路を切換えるように構成することが考えられる。しかしながら、硬貨切換機構が外扉２０の開閉に応じて自動的に硬貨通路を切換えことに慣れた作業員が硬貨切換機構を操作することを忘却した場合には回収硬貨が硬貨返却口に払い出されて溢れ出してしまうおそれがあり、何よりも作業員の手間がかかり作業が煩雑となるという課題を有する。
【００１１】
そこで、本発明は上記の点に鑑みなされたものであり、その目的は前記課題を解決し、大幅に設計変更することなく外扉の開放時には硬貨投入口への硬貨の投入を阻止した自動販売機を提供することにある。
【課題を解決するための手段】
【００１２】
上記目的を達成するため請求項１に係る発明は、本体キャビネットの前面開口端部に設けたロック板と、前記本体キャビネットの前面に開閉自在に設けられた外扉に配設されるとともに上下方向にスライド移動自在なスライダと、前記外扉の前面に配置されたハンドルに連結されたスイングカムと、当該スイングカムに連動して左右方向にスライド移動自在な閂部材とを有し、前記ロック板および閂部材を前記スライダに係合させて外扉を閉止鎖錠する扉ロック装置、前記外扉に配設された硬貨投入口と硬貨識別装置とを連係する硬貨シュートを備えた自動販売機において、前記扉ロック装置の閂部材に、当該閂部材のスライド移動に応じて前記硬貨投入口に進退移動する硬貨投入阻止片を形成したことを特徴とする。
【００１３】
また、上記目的を達成するため請求項２に係る発明は、請求項１に記載の自動販売機において、常時は硬貨シュートの入口を閉塞し、硬貨投入口から投入された硬貨により押し開かれる態様で硬貨シュートに回動自在に取付けられた防滴部材を有し、前記扉ロック装置の閂部材に設けた硬貨投入阻止片により前記防滴部材を、硬貨シュートの入口を閉塞した状態にロックするようにしたことを特徴とする。
【発明の効果】
【００１４】
本発明の請求項１に係る発明によれば、本体キャビネットの前面開口端部に設けたロック板と、前記本体キャビネットの前面に開閉自在に設けられた外扉に配設されるとともに上下方向にスライド移動自在なスライダと、前記外扉の前面に配置されたハンドルに連結されたスイングカムと、当該スイングカムに連動して左右方向にスライド移動自在な閂部材とを有し、前記ロック板および閂部材を前記スライダに係合させて外扉を閉止鎖錠する扉ロック装置、前記外扉に配設された硬貨投入口と硬貨識別装置とを連係する硬貨シュートを備えた自動販売機において、前記扉ロック装置の閂部材に、当該閂部材のスライド移動に応じて前記硬貨投入口に進退移動する硬貨投入阻止片を形成したことにより、前記扉ロック装置により外扉を閉止鎖錠した状態では前記扉ロック装置の閂部材に形成した硬貨投入阻止片が硬貨投入口より退避して硬貨投入口からの硬貨の投入を許容し、前記扉ロック装置を操作して前記外扉を開放した際に前記閂部材に形成した硬貨投入阻止片が硬貨投入口に進出して硬貨の投入を阻止することが可能となり、僅かの設計変更によって外扉開放時に硬貨投入口からの硬貨の投入を防止することができる。
【００１５】
また、本発明の請求項２に係る発明によれば、請求項１に記載の自動販売機において、常時は硬貨シュートの入口を閉塞し、硬貨投入口から投入された硬貨により押し開かれる態様で硬貨シュートに回動自在に取付けられた防滴部材を有し、前記扉ロック装置の閂部材に設けた硬貨投入阻止片により前記防滴部材を、硬貨シュートの入口を閉塞した状態にロックするようにしたことにより、硬貨投入口と硬貨シュートの入口との間に閂部材に形成した硬貨投入阻止片が進退移動する隙間がない場合にも外扉開放時に硬貨投入口からの硬貨の投入を防止することができる。
【図面の簡単な説明】
【００１６】
【図１】本発明の実施の形態１に係る自動販売機を示し、（ａ）は硬貨投入口および扉ロック装置が配設されて外扉の要部背面斜視図、（ｂ）は（ａ）のＡ−Ａ線断面図である。
【図２】硬貨投入口と硬貨識別装置を連係する硬貨シュートを示し、（ａ）は硬貨シュートに組付けた防滴部材が待機状態にある場合の斜視図、（ｂ）は硬貨シュートに組付けた防滴部材が動作状態にある場合の斜視図、（ｃ）は硬貨シュートの斜視図、（ｄ）は防滴部材の斜視図である。
【図３】扉ロック装置のスイングカムと閂部材との連係状態を示し、（ａ）は外扉閉止鎖錠状態の説明図、（ｂ）は外扉開放時の説明視図である。
【図４】扉ロック装置の閂部材と防滴部材の連係を示し、（ａ）は外扉閉止鎖錠状態の説明図、（ｂ）は外扉開放時の説明視図である。
【図５】自動販売機の一例を示す斜視図である。
【発明を実施するための形態】
【００１７】
以下、本発明の実施の形態に係る自動販売機について添付図面を参照して説明する。なお、本発明の実施の形態に係る自動販売機が従来装置と相違する点は扉ロック装置の閂部材であり、ここでは扉ロック装置の閂部材周辺について説明することとし、また、自動販売機の全体構成は図５に示したものと同一であるので適宜図５を参照しつつ説明を行う。
【００１８】
図１は本発明の実施の形態１に係る自動販売機を示し、図において２０で再び外扉を示し、外扉２０の前面には図１の（ｂ）に示すように硬貨投入口１と返却レバー２からなる。前記硬貨投入口１は硬貨を投入する横長のスリット１１が形成されており、このスリット１１の背後には硬貨シュート２１１の入口（開口）が対峙するように配設されている。前記返却レバー２にはスイングレバー２１が連結されており、このスイングレバー２１は硬貨識別装置２１０の硬貨返却操作片２１０ａに当接している。
【００１９】
前記硬貨投入口１と硬貨識別装置２１０を連係する態様で硬貨シュート２１１が設けられている。この硬貨シュート２１１は、図２の（ｃ）に示すように、入口（開口）２１１ａと出口（開口）２１１ｂを備え、前記入口（開口）２１１ａが硬貨投入口１のスリット１１に対峙し、前記出口（開口）２１１ｂが硬貨識別装置２１０のホッパー２１０ｂに対峙するように配設されている。また、硬貨シュート２１１の湾曲した頭部には突起２１１ｃが形成されるとともに当該湾曲した頭部から入口２１１ａの左右側壁の上部側は下部側よりも一段低い回動ストッパ２１１ｄ，２１１ｄとして形成されている。前記硬貨シュート２１１の入口側には防滴部材３が回動自在に取付けられている。この防滴部材３は、図２の（ｄ）に示すように、硬貨シュート２１１の入口（開口）２１１ａに遊嵌される大きさの閉塞板３１とこの閉塞板３１の形状および質量よりも一回り大きくな形状および質量の取付片３２とからなり、取付片３２には硬貨シュート２１１の突起２１１ｃが遊嵌される開口穴３２１が形成されている。前記防滴部材３は、閉塞板３１と取付片３２との連結部分３３で略「へ」字形に折り曲げられている。前記前記連結部分３３は、硬貨シュート２１１の湾曲した頭部に倣って湾曲しており、また、前記連結部分３３における閉塞板３１寄りの左右端部には肩部３３１，３３１が形成されている。この防滴部材３は、その取付片３２の開口穴３２１を硬貨シュート２１１の突起２１１ｃに嵌め込んだ上で連結部分３３を硬貨シュート２１１の頭部に載置して取付けられる（図２の（ａ）参照）。
【００２０】
前記防滴部材３を硬貨シュート２１１の頭部に載置した状態では、図２の（ａ）に示すように、防滴部材３の閉塞板３１が硬貨シュート２１１の入口（開口）２１１ａを閉塞している。この状態から防滴部材３の閉塞板３１を硬貨シュート２１１内に押し込む、つまり、硬貨投入口１のスリット１１を介して投入された硬貨により押し込まれると、図２の（ｂ）に示すように、防滴部材３が連結部分３３を支点として回動する。この後、硬貨が通過すると質量の大きな取付片３２により元の状態（図２の（ｃ）の状態）に復帰する。なお、防滴部材３回動範囲は、硬貨シュート２１１における入口（開口）２１１ａの左右側壁に形成した回動ストッパ２１１ｄ，２１１ｄに連結部材３３の肩部３３１，３３１が当接することにより規制されているものである。
【００２１】
次に、扉ロック装置は、特許文献１にも記載されているように周知のものであり、本体キャビネット１０（図５参照）の前面開口端部に設けたロック板１０１と、外扉２０に配設されるとともに上下方向にスライド移動自在なスライダ（不図示）と、前記外扉２０の前面に配置されたハンドル（不図示）に連結されたスイングカム４と、当該スイングカム４に連動して左右方向にスライド移動自在な閂部材５とからなり、図１の（ａ）では前記ロック板１０１を前記スライダに係合させて外扉２０を閉止鎖錠した状態を示している。    
【００２２】
ここで、前記閂部材５が係合するスライダについて簡単に説明する。前記スライダは、横断面コ字形であって上下方向に延在するチャンネル部材として形成されて外扉２０の反ヒンジ側の袋状の扉枠の内部に配設されており、上部側の左右両壁部に形成した上下方向の長溝に段付きねじを挿通した上で、当該段付きねじを外扉２０の扉枠に固着することによって上下方向にスライド可能に支持されている。スライダの一方の壁部には前記スイングカム４が嵌入する角穴および閂部材５が嵌入する角穴がそれぞれ開口しており、スライダのコ字形基部（コ字形底面）にはロック板１０１が、図１の（ａ）におけるスリット穴２０ａを介して嵌入する角穴が開口している。また、ロック板１０１はその取付基部を本体キャビネット１０に固定し、前方に突き出した部分の上縁に凹溝が形成されている。
【００２３】
上記構成の扉ロック装置は、外扉２０を閉じた状態ではスライダが下降してロック板１０１の凹溝に係合する一方、閂部材５が係合して外扉２０を閉止位置に鎖錠している。この状態からキー操作により扉ロック装置のシリンダー錠を解錠した上で、ハンドルを開位置に回すとスイングレバー４１が回動してスライダを上方に押し上げる。これにより、スライダとロック板１０１の凹溝との係合が外れるとともにスイングレバー４１の回動に連動して閂部材５がスライダから離隔することにより鎖錠状態が解かれるので外扉２０を自由に開くことができるようになる。
【００２４】
また、扉ロック装置のスイングカム４と閂部材５との連係状態について図３を用いて説明する。図は外扉２０の背面側から見たスイングカム４と閂部材５との連係を示している。スイングカム４はシリンダー錠の内筒の外周縁に形成された２個の突起Ｓ１，Ｓ２と連結されて回動自在に取付けられており、前記スライダの角穴に嵌入するスイングレバー４１を備えている。このスイングカム４の外周縁には窓穴を有する連結突起４２が形成されている。一方、閂部材５は左右に延在する本体５１が外扉２０の扉枠にスライド移動自在に取付けられ、本体５１の左端が前記スライダの角穴に嵌入するものである。前記本体５１には前記スイングカム４の連結突起４２の窓穴に挿入係止される突起５１１が形成されている。前記閂部材５の本体５１には本発明に係る硬貨投入阻止片５２が追加装備されている。この硬貨投入阻止片５２は本体５１から上方に向けて立上がるとともに適宜折り曲げにより前記硬貨シュート２１１に載置されて待機状態の防滴部材３の取付片３２の上方位置まで延在しており、スイングカム４の回動に伴って取付片３２の上部に進出若しくは退避するように構成されている。図３の（ａ）が外扉２０の閉止状態を示し、閂部材５が左方向にスライドして下降したスライダに角穴に嵌入される一方、硬貨投入阻止片５２が防滴部材３の取付片３２の上方位置から退避している。外扉２０を開放するためキー操作によりシリンダー錠を解錠したうえでハンドルを回転させると、図３の（ｂ）に示すように、スイングカム４が時計方向に回動してスライダを上昇させると同時に閂部材５が右方向にスライドして本体５１がスライダの角穴から抜け出す一方、硬貨投入阻止片５２が防滴部材３の取付片３２の上方位置に進出するように構成されている。
【００２５】
次に、本発明の実施の形態１に係る自動販売機の動作について、扉ロック装置の閂部材５と防滴部材３の連係を示す図４を用いて説明する。図４の（ａ）に示すように、外扉２０の閉止状態においては、スイングカム４が反時計方向に回動して連結突起４２を介して閂部材５を左方向にスライドして下降したスライダに角穴に嵌入される一方、硬貨投入阻止片５２が防滴部材３の取付片３２の上方位置から退避している。この状態で硬貨投入口１（図１参照）から硬貨が投入されると、図２の（ｂ）に示すように、防滴部材３が回動して硬貨シュート２１１に投入硬貨を受け入れて商品の販売を行う。
【００２６】
メンテナンス作業のために外扉２０を開放する際、キー操作によりシリンダー錠を解錠したうえでハンドルが回転させられる。前記ハンドルが回転させられると、図４の（ｂ）に示すようにスイングカム４が時計方向に回動してスライダを上昇させると同時に連結突起４２を介して閂部材５が右方向にスライドしてスライダから離隔する一方、閂部材５の硬貨投入阻止片５２が硬貨シュート２１１に載置された防滴部材３の取付片３２の上方位置に進出する。これにより防滴部材３は、図２の（ａ）に示すように、防滴部材３の閉塞板３１が硬貨シュート２１１の入口（開口）２１１ａを閉塞した状態にロックされる。したがって、硬貨投入口１（図１参照）に硬貨を投入しようとしても防滴部材３の閉塞板３１により硬貨の投入が阻止され、外扉２０の開放状態で硬貨が投入されることを防止することができる。
【００２７】
なお、上記実施の形態においては、扉ロック装置の閂部材５に設けた硬貨投入阻止片５２が硬貨シュート２１１に載置された防滴部材をロックするようにしたものについて説明したが、前記硬貨投入阻止片５２を硬貨投入口と硬貨シュートとの間に位置させて硬貨投入口と硬貨シュートとの間に進出若しくは退避するようにすることもできる。
【００２８】
前述したように本発明の実施の形態に係る自動販売機、本体キャビネット１０の前面開口端部に設けたロック板１０１と、前記本体キャビネット１０の前面に開閉自在に設けられた外扉２０に配設されるとともに上下方向にスライド移動自在なスライダと、前記外扉２０の前面に配置されたハンドルに連結されたスイングカム４と、当該スイングカム４に連動して左右方向にスライド移動自在な閂部材５とを有し、前記ロック板１０１および閂部材５を前記スライダに係合させて外扉２０を閉止鎖錠する扉ロック装置、前記外扉２０に配設された硬貨投入口１と硬貨識別装置２１０とを連係する硬貨シュート２１１を備えた自動販売機において、前記扉ロック装置の閂部材５に、当該閂部材５のスライド移動に応じて前記硬貨投入口１に進退移動する硬貨投入阻止片５２を形成したことにより、前記扉ロック装置により外扉２０を閉止鎖錠した状態では前記扉ロック装置の閂部材５に形成した硬貨投入阻止片５２が硬貨投入口１より退避して硬貨投入口１からの硬貨の投入を許容し、前記扉ロック装置を操作して前記外扉２０を開放した際に前記閂部材５に形成した硬貨投入阻止片５２が硬貨投入口１に進出して硬貨の投入を阻止することが可能となり、僅かの設計変更によって外扉開放時に硬貨投入口１からの硬貨の投入を防止することができる。
【符号の説明】
【００２９】
１…硬貨投入口、２…返却レバー、３…防滴部材、４…スイングカム、５…閂部材、１０…本体キャビネット、１１…スリット、２０…外扉、３１…閉塞板、３２…取付片、４１…スイングレバー、４２…連結突起、５１…本体、５２…硬貨投入阻止片、２１０…硬貨識別装置、２１１、２１２…硬貨シュート、２３０…硬貨回収ボックス（金庫）。
【図１】
0005720436.tif 000002
【図２】
0005720436.tif 000003
【図３】
0005720436.tif 000004
【図４】
0005720436.tif 000005
【図５】
0005720436.tif 000006